(57)【特許請求の範囲】
【請求項１】
使用者が操作を行う操作部と、
前記操作部の操作に応じて触感的駆動力を発生させるアクチュエータ部と、
前記操作部と前記アクチュエータ部とを連結する駆動軸部と、
を備え、前記操作部の操作に応じて、前記アクチュエータ部で発生する触感的駆動力が前記駆動軸部を通じて前記操作部に伝達されることにより、実際の操作感を体感できる操作感覚再現装置であって、
前記アクチュエータ部は、固定子と可動子とを有しており、一方が他方に挿通した状態で相対的に変位することにより触感的駆動力を発生し、
前記可動子と前記操作部とが前記駆動軸部で連結され、前記固定子、前記可動子、前記駆動軸部のそれぞれの中心軸が同一軸上に設けられていることを特徴とする操作感覚再現装置。
【請求項２】
前記アクチュエータ部は複数設けられ、それぞれの前記アクチュエータ部の前記可動子に連結される前記駆動軸部が前記操作部とそれぞれ連結されており、
それぞれの駆動軸部は、その中心軸を共通にして、一の駆動軸部が他の駆動軸部に挿通されて設けられており、
それぞれの前記アクチュエータ部の前記固定子、前記可動子、前記駆動軸部のそれぞれの中心軸が同一軸上に設けられていることを特徴とする請求項１に記載の操作感覚再現装置。
【請求項３】
前記アクチュエータ部は、前記可動子と前記固定子とが非接触で相対的に変位する非接触駆動モータであることを特徴とする請求項１又は２に記載の操作感覚再現装置。
【請求項４】
前記固定子には、前記可動子が挿通する挿通孔が形成されており、この挿通孔には、前記可動子を非接触で支持するエアベアリングが設けられていることを特徴とする請求項１〜３のいずれか一項に記載の操作感覚再現装置。
【請求項５】
前記アクチュエータ部で発生する触感的駆動力は、前記駆動軸部を中心軸方向に移動させる動作と、中心軸回りに回転させる動作に応じて発生させることを特徴とする請求項１〜４のいずれか一項に記載の操作感覚再現装置。
【発明の詳細な説明】
【技術分野】
【０００１】
実際の操作感覚を体感するためのシミュレータ装置であり、実物を用いることなく、操作感覚を模擬的に再現することにより、実験や訓練などを行うことができる操作感覚再現装置に関するものである。
【背景技術】
【０００２】
人が感じる触感的感覚、操作感覚をこれまで体感したことのない人に伝達したり、これらの感覚を習得させて実践感覚を養うために、シミュレータ装置（操作感覚再現装置）が使用されている。例えば、外科医療では、医療用のカテーテルを用いて血管内拡張用のステント・バルーンや閉塞用のコイルを送り込むことにより血管内の治療が行われており、このカテーテルの操作感覚を養うために操作感覚再現装置が用いられている。
【０００３】
この操作感覚再現装置は、図５に示すように、使用者が操作を行う操作部１００と、触感的駆動力を発生するアクチュエータ部１０１と、操作部１００とアクチュエータ部１０１とを連結する駆動軸部１０２と、これらを統括的に制御する制御部１０３とを有しており、実際にカテーテルを人体に挿入した状態の画像や操作状況などが制御部１０３からモニタ１０４に映し出されるようになっている。そして、使用者が操作部１００を操作することにより入力された変位量に対して、アクチュエータ部１０１で熟練医師が体感する触感的駆動力（触感的感覚）が発生するように制御され、操作部１００の操作に応じた触感的駆動力が駆動軸部１０２を通じて操作部１００に伝達されるようになっている。
【０００４】
具体的には、アクチュエータ部１０１には例えばサーボモータ１０５が使用されており、使用者がモニタ１０４を視認しつつ操作部１００を操作することにより、駆動軸部１０２の変位量がエンコーダ１０６で検出される。そして、この変位量に応じた駆動力がサーボモータ１０５から出力される。すなわち、制御部１０３により制御されたサーボモータ１０５の駆動力が中間部材１０７を介して駆動軸部１０２に伝達され、使用者は駆動軸部１０２を通じて操作部１００の操作に応じた触感的感覚を得ることができる。これにより、実戦経験のない医師であっても、実際の人体に対して実践を行うことなく、カテーテルが血管の壁に突き当たった感覚や、血管内でバルーンを形成する感覚など微妙かつ繊細な触感的感覚を養うことができるようになっている（例えば特許文献１参照）。
【先行技術文献】
【特許文献】
【０００５】
【特許文献１】特開２０００−４２１１８号公報
【発明の概要】
【発明が解決しようとする課題】
【０００６】
しかし、上記操作感覚再現装置では、実際の触感的感覚を正確に得るのが難しいという問題があった。すなわち、従来の操作感覚再現装置では、アクチュエータ部１０１の触感的駆動力を発生させる駆動源（サーボモータ１０５）の中心軸ｌａが操作部１００と連結される駆動軸部１０２（中心軸ｌｂ）に対してオフセットされた位置に位置しているため、アクチュエータ部１０１で発生された触感的駆動力の正確性を損ねてしまう虞があった。具体的には、アクチュエータ部１０１で発生させる触感的駆動力は、操作部１００の操作に対して熟練医師が感じる微妙かつ繊細な触感的駆動力に調整されている場合であっても、駆動源の中心軸ｌａと駆動軸部１０２の中心軸ｌｂとがオフセットされていることにより、不要なモーメントの発生や、駆動源の中心軸ｌａと駆動軸部１０２の中心軸ｌｂとの間に存在する中間部材１０７の組付け精度、はめあい等の機械的ロスが触感的駆動力に影響し、操作部１００に伝達される触感的駆動力が微妙にずれてしまい操作部１００を操作する使用者に正確に伝わらないという問題があった。
【０００７】
本発明は、上記の問題点に鑑みてなされたものであり、触感的駆動力を正確に伝達することができ、微妙かつ繊細な触感的感覚を養うことができる操作感覚再現装置を提供することを目的としている。
【課題を解決するための手段】
【０００８】
上記課題を解決するために本発明の操作感覚再現装置は、使用者が操作を行う操作部と、前記操作部の操作に応じて触感的駆動力を発生させるアクチュエータ部と、前記操作部と前記アクチュエータ部とを連結する駆動軸部と、を備え、前記操作部の操作に応じて、前記アクチュエータ部で発生する触感的駆動力が前記駆動軸部を通じて前記操作部に伝達されることにより、実際の操作感を体感できる操作感覚再現装置であって、前記アクチュエータ部は、固定子と可動子とを有しており、一方が他方に挿通した状態で相対的に変位することにより触感的駆動力を発生し、前記可動子と前記操作部とが前記駆動軸部で連結され、前記固定子、前記可動子、前記駆動軸部のそれぞれの中心軸が同一軸上に設けられていることを特徴としている。
【０００９】
上記操作感覚再現装置によれば、アクチュエータ部の固定子と可動子とが、一方が他方に挿通されることによって形成され、これら固定子、可動子、駆動軸部のそれぞれの中心軸が同一軸上に設けられていることにより、触感的駆動力を忠実に再現し、正確に伝達させることができる。すなわち、固定子、可動子、駆動軸部のそれぞれの中心軸が同一軸上に設けられていることにより、駆動軸部が摺動抵抗を極力減らした低抵抗で駆動させることができるため、熟練者が感じる微妙かつ繊細な触感的駆動力に調整された触感的駆動力を正確に再現することができる。また、従来の駆動源と駆動軸部との間に介在する中間部材が存在しないため、オフセット構造によるモーメント等の影響や、組付け精度、はめあい等の機械的ロスを抑えることができ、操作部に伝達される触感的駆動力が微妙にずれる問題を極力抑えることができる。したがって、駆動源の中心軸と駆動軸部の中心軸とがオフセットされる従来の操作感覚再現装置に比べて、アクチュエータ部で設定した触感的駆動力を正確に伝達させることができるため、使用者に対して微妙かつ繊細な触感的感覚を養うことができる。
【００１０】
また、前記アクチュエータ部は複数設けられ、それぞれの前記アクチュエータ部の前記可動子に連結される前記駆動軸部が前記操作部とそれぞれ連結されており、それぞれの駆動軸部は、その中心軸を共通にして、一の駆動軸部が他の駆動軸部に挿通されて設けられており、それぞれの前記アクチュエータ部の前記固定子、前記可動子、前記駆動軸部のそれぞれの中心軸が同一軸上に設けられている構成にしてもよい。
【００１１】
この構成によれば、触感的駆動力を発生させるアクチュエータ部が複数になっても、それぞれの固定子、可動子、駆動軸部のそれぞれの中心軸が同一軸上となるように配置することができるため、駆動源であるアクチュエータ部の中心軸と駆動軸部の中心軸とをオフセットさせる従来の操作感覚再現装置に比べて、駆動軸部が摺動抵抗を極力減らした低抵抗で駆動させることができるとともに、中心軸と直交する方向のスペースが不要になり全体をコンパクトにすることができる。
【００１２】
また、前記アクチュエータ部は、前記可動子と前記固定子とが非接触で相対的に変位する非接触駆動モータであることが好ましい。
【００１３】
この構成によれば、アクチュエータ部にボールネジ、サーボモータ等の機械的な駆動源を用いる場合に比べて、摺動抵抗、脈動等の機械的な駆動源特有のロス、振動等の影響をなくすことができるため、より実物に近い触感的駆動力を正確に再現し伝達することができる。
【００１４】
また、前記固定子には、前記可動子が挿通する挿通孔が形成されており、この挿通孔には、前記可動子を非接触で支持するエアベアリングが設けられている構成にしてもよい。
【００１５】
この構成によれば、可動子が固定子に対して非接触で支持されるため、可動子と固定子とが相対的に移動する際の摺動抵抗の影響をなくすことができ、より実物に近い触感的駆動力を正確に再現し伝達することができる。
【００１６】
また、前記アクチュエータ部で発生する触感的駆動力は、前記駆動軸部を中心軸方向に移動させる動作と、中心軸回りに回転させる動作に応じて発生させる構成にしてもよい。
【００１７】
この構成によれば、使用者が操作部を中心軸方向に移動させる動作と、中心軸回りに回転させる動作とを組み合わせた触感的感覚を養うことができる。すなわち、固定子、可動子、駆動軸部のそれぞれの中心軸が同一軸上に設けられていることにより、モーメントや機械的ロス等の影響を抑えて中心軸方向及び中心軸回りのいずれにおいても低抵抗で駆動させることができるため、熟練者が感じる微妙かつ繊細な触感的駆動力に調整された触感的駆動力を正確に再現することができる。
【発明の効果】
【００１８】
本発明の操作感覚再現装置によれば、触感的駆動力を正確に伝達することができ、微妙かつ繊細な触感的感覚を養うことができる。
【図面の簡単な説明】
【００１９】
【図１】本発明の一実施形態における操作感覚再現装置を示す図である。
【図２】上記実施形態における主要部（装置本体）を示す図である。
【図３】上記実施形態における固定子を示す図であり、（ａ）は中心軸Ｌ０と直交する方向から見た断面図、（ｂ）は中心軸Ｌ０から見た断面図である。
【図４】上記実施形態における可動子を示す図である。
【図５】従来の操作感覚再現装置を示す図である。
【発明を実施するための形態】
【００２０】
本発明の操作感覚再現装置に係る実施の形態について図面を用いて説明する。
【００２１】
図１は、操作感覚再現装置の一実施形態を示す全体図であり、図２は、操作感覚再現装置の主要部（装置本体）を示す図である。なお、以下の実施形態では、操作感覚再現装置を医療用カテーテルのトレーナ（訓練機）に適用した例について説明するが、本発明の操作感覚再現装置は、遠隔操作を必要とする手術用ロボットやバーチャルリアリティシステム等、微妙かつ繊細な触感的感覚を得るためのあらゆるシミュレータ装置に適用することができる。
【００２２】
図１、図２において、操作感覚再現装置は、触感的駆動力を発生する装置本体１０と、装置本体１０を統括的に制御する制御部５０と、制御部５０からの信号を受け装置本体１０の使用状態をモニタリングするモニタ部６０とを有している。そして、使用者が装置本体１０（本実施形態ではカテーテル）を操作することにより、モニタ部６０には、実際にカテーテルが人体に挿入される映像、及び、使用者の操作に応じた状態の映像がモニタ部６０に映し出され、実際の操作に応じた触感的駆動力が装置本体１０を通じて使用者に伝達され実際の操作感を体感できるようになっている。
【００２３】
装置本体１０は、使用者が操作を行う操作部１１と、触感的駆動力を発生するアクチュエータユニット２０と、操作部１１とアクチュエータユニット２０とを連結する駆動軸部３０とを有している。
【００２４】
操作部１１は、使用者が手で握って操作するための部分であり、使用者がモニタ部６０を確認しながら操作するものである。この操作部１１は、ほぼ円筒形状であって、実際のカテーテルの操作部分とほぼ同じ形状に形成されている。本実施形態のアクチュエータユニット２０には、後述するように、アクチュエータ部２１が２つ設けられているため、それぞれに対して操作部１１が独立して設けられている。
【００２５】
駆動軸部３０は、一方向に延びる棒状部材で形成されており、一方がアクチュエータユニット２０に連結され、他方が操作部１１に連結されている。この操作部１１と駆動軸部３０は、軸（中心軸Ｌ０）を共通にして連結されている。具体的には、操作部１１及び駆動軸部３０は、操作部１１の中心軸ｌｈと駆動軸部３０の中心軸ｌｓとが同一軸上（中心軸Ｌ０上）になるように連結されており、操作部１１を中心軸ｌｈに沿って変位させることにより駆動軸部３０がアクチュエータユニット２０に対して中心軸Ｌ０方向に変位し、操作部１１を中心軸ｌｈ回りに変位させることにより駆動軸部３０がアクチュエータユニット２０に対して中心軸Ｌ０回りに変位（回転）するようになっている。
【００２６】
駆動軸部３０は、本実施形態では、アクチュエータ部２１が２つ設けられていることにより、アクチュエータ部２１ａ、２１ｂそれぞれに対して駆動軸部３０が独立して２つ設けられている。すなわち、操作部１１から遠い側に位置するアクチュエータ部２１ａに連結される駆動軸部３０ａ（図２参照）と、操作部１１に近い側に位置するアクチュエータ部２１ｂに連結される駆動軸部３０ｂ（図２参照）とが設けられている。これらの駆動軸部３０ａ、３０ｂは、それぞれの中心軸ｌｓが同一軸上（中心軸Ｌ０上）になるように構成されている。具体的には、駆動軸部３０ａが駆動軸部３０ｂに挿通されて設けられており、駆動軸部３０ａの中心軸ｌｓが駆動軸部３０ｂの中心軸ｌｓが同一軸上になるように配置され、駆動軸部３０ａが駆動軸部３０ｂに対して、中心軸Ｌ０方向と、中心軸Ｌ０回りに回転できるように構成されている。すなわち、操作部１１を操作することにより、駆動軸部３０ａ、及び、駆動軸部３０ｂは、中心軸Ｌ０を共通にした状態で、それぞれ独立して中心軸Ｌ０方向に変位し、中心軸Ｌ０回りに回転するようになっている。すなわち、駆動軸部３０ａ、及び、駆動軸部３０ｂは、他の中間部材を介在させる場合に比べて、低抵抗で中心軸Ｌ０方向、及び、中心軸Ｌ０回りに回転できるようになっている。
【００２７】
ここで、本発明でいう同一軸上とは、軸同士が完全に一致している場合のみならず、軸同士が僅かにずれている場合も含まれる。すなわち、双方の部材（この場合、操作部１１と駆動軸部３０）が他の部材（例えばローラやブロック等の中間部材）を使って構造的にオフセットされて連結されているものを除き、双方の部材が直接連結され一体的に共通の軸（この場合、中心軸Ｌ０）を基準軸として直線的な変位又は回転しているとみなすことができ、駆動軸部３０からの駆動力を他の部材を介すことなくダイレクトに操作部１１に伝達する構成を含むものである。
【００２８】
また、アクチュエータユニット２０は、ほぼ直方体のケーシング２２内に、触感的駆動力を発生させるアクチュエータ部２１と、駆動軸部３０の変位量を計測する変位センサ部２３とが設けられている。このアクチュエータ部２１と変位センサ部２３とは、制御部５０に接続されており、制御部５０で駆動制御されることにより使用者の操作部１１の操作に応じた触感的駆動力を発生できるようになっている。すなわち、制御部５０は、駆動軸部３０の変位量に対して触感的駆動力を発生させるようにアクチュエータ部２１を制御するように構成されており、カテーテルが血管の壁に突き当たった感覚や、血管内でバルーンを形成する感覚など微妙かつ繊細な触感的感覚等、熟練医師が体得している触感的感覚に対応した駆動力（触感的駆動力）が駆動軸部３０の中心軸Ｌ０方向及び回転方向の変位量に応じて発生できるように構成されている。また、制御部５０は、モニタに接続されており、駆動軸部３０の変位量が入力されると、変位量に応じてカテーテルが人体内を進退する様子や、血管内でバルーンが膨らむ様子等、使用者が操作部１１を操作することにより、実際にカテーテルを人体に対して使用した場合と同様の映像が出力されるようになっている。
【００２９】
アクチュエータ部２１は、カテーテル操作における触感的駆動力を発生させるものである。アクチュエータ部２１は、可動子２４と固定子２５とを有しており、これらが互いに挿通した状態で設けられている。本実施形態では、アクチュエータ部２１は、シャフトモータで構成されており、可動子２４と固定子２５が相対的に変位することにより、触感的駆動力を発生できるようになっている。
【００３０】
本実施形態では、アクチュエータ部２１は、駆動軸部３０を中心軸Ｌ０方向に駆動させる軸方向駆動部４１と、駆動軸部３０を中心軸Ｌ０回りに回転駆動させる回転方向駆動部４２とを有している。この軸方向駆動部４１、回転方向駆動部４２がそれぞれ制御されることにより、中心軸Ｌ０方向の駆動力と中心軸Ｌ０回りに回転する方向の駆動力を発生できるようになっている。すなわち、制御部５０により駆動力の方向性、及び、駆動力の強弱を組み合わせて制御されることにより、微妙かつ繊細な触感的駆動力を発生できるようになっている。
【００３１】
固定子２５は、円筒形状を有しておりケーシング２２内に固定されている。具体的には、図３に示すように、固定子２５は、その中心部分に挿通孔２６が形成されており、固定子２５の中心軸ｌｆが駆動軸部３０、及び、操作部１１の中心軸ｌｓ、ｌｈと同一軸上（中心軸Ｌ０上）に位置するように配置されて固定されている。本実施形態では、この固定子２５は、電気的コイルで形成されており、軸方向駆動部４１では、中心軸回りに巻回して形成されるコイルＣ１が配置されている。また、回転方向駆動部４２では、巻回して形成される電気的コイルＣ２が中心軸に沿って延びる形状で中心軸回りに複数個配置されて形成されている。
【００３２】
また、可動子２４は、棒状部材であって固定子２５の挿通孔２６に挿通されている。具体的には、可動子２４は、固定子２５の挿通孔２６にエアベアリング２７を介して挿通されており、挿通された状態では、固定子２５に対して非接触で、かつ、それぞれの中心軸ｌｍ、ｌｆ、が一致する状態で保持されている。また、可動子２４は駆動軸部３０に連結されており、操作部１１の操作に応じて固定子２５に対して中心軸ｌｍ方向、及び、中心軸ｌｍ回りの回転方向に変位できるようになっている。
【００３３】
具体的には、可動子２４は、その中心軸ｌｍと駆動軸部３０の中心軸ｌｓ（＝Ｌ０）が一致するように連結されており、操作部１１で駆動軸部３０を中心軸Ｌ０方向に変位させると可動子２４が固定子２５に対して中心軸Ｌ０方向に変位し、操作部１１で駆動軸部３０を中心軸Ｌ０回りに回転させると可動子２４が固定子２５に対して中心軸Ｌ０回りに回転するようになっている。すなわち、固定子２５、可動子２４、駆動軸部３０は、それぞれの中心軸ｌｆ、ｌｍ、ｌｓが同一軸上（中心軸Ｌ０上）になるように配置されており、可動子２４及び駆動軸部３０は、この中心軸Ｌ０を基準に軸方向に変位し、軸回りに回転できるようになっている。
【００３４】
また、本実施形態の可動子２４は、永久磁石で形成されている。具体的には、図４に示すように、Ｎ極とＳ極とが中心軸方向に交互に配列される直動磁石部２４ａと、Ｎ極とＳ極とが中心軸Ｌ０を中心とした周方向に交互に配列される回転磁石部２４ｂとを有しており、これらが中心軸Ｌ０方向に配置されている。そして、可動子２４が固定子２５に挿通された状態では、直動磁石部２４ａが軸方向駆動部４１に位置し、回転磁石部２４ｂが回転方向駆動部４２に位置するように配置される。これにより、軸方向駆動部４１に通電されることにより可動子２４が中心軸Ｌ０方向に変位し、回転方向駆動部４２に通電されることにより可動子２４が中心軸Ｌ０回りに変位させることができる。すなわち、軸方向駆動部４１に通電されると、コイルＣ１に電流が流れて中心軸Ｌ０回りに流れる電流が形成される。そして、直動磁石部２４ａで形成される磁界によって、可動子２４が中心軸Ｌ０方向の推力を受け中心軸方向に変位する。また、回転方向駆動部４２に通電されると、コイルＣ２に電流が流れて中心軸Ｌ０に沿って方向に流れる電流が形成される。そして、回転磁石部２４ｂとによって、可動子２４が中心軸Ｌ０回りに推力を受け中心軸回りに変位する。制御部５０では、これらの駆動力の方向、及び、駆動力の強弱を組み合わせて制御することにより、カテーテル操作における微妙かつ繊細な触感的駆動力を発生させるようになっている。
【００３５】
また、駆動軸部３０の変位量を計測する変位センサ部２３は、ラインセンサが用いられている。本実施形態では、ケーシング２２内に設けられたセンサヘッド２３ａにより、可動子２４に取付けられたスケール２８を読み取ることにより計測される。具体的には、図４に示すように、可動子２４には、中心軸Ｌ０方向の変位を計測するスケール２８ａと、中心軸Ｌ０回りの回転方向の変位を計測するスケール２８ｂが取り付けられており、それぞれセンサヘッド２３ａで読み取ることにより駆動軸部３０の変位量が計測される。なお、本実施形態ではラインセンサを使用しているが、リニアエンコーダ、磁気センサなどを用いてもよい。
【００３６】
以上、説明した本実施形態の操作感覚再現装置によれば、アクチュエータ部２１で設定した触感的駆動力を正確に伝達し、微妙かつ繊細な触感的感覚を得ることができる。すなわち、固定子２５、可動子２４、駆動軸部３０が、それぞれの中心軸ｌｆ、ｌｍ、ｌｓが同一軸上（中心軸Ｌ０上）になるように配置されており、可動子２４及び駆動軸部３０は、この中心軸Ｌ０を基準に軸方向に変位し、中心軸Ｌ０回りに回転できるように構成されているため、摺動抵抗を極力減らした低抵抗で駆動させることができ、熟練医師が感じる微妙かつ繊細な触感的駆動力に調整された触感的駆動力を正確に再現することができる。すなわち、駆動源の中心軸と駆動軸部３０の中心軸ｌｓとがオフセットされる従来の操作感覚再現装置に比べて、オフセット構造によるモーメント等の影響や、組付け精度、はめあい等が触感的駆動力に影響し、操作部１１に伝達される触感的駆動力が微妙にずれる問題を極力抑えることができる。
【００３７】
また、上記実施形態では、可動子２４と固定子２５とが磁力による駆動源であるシャフトモータ（非接触駆動モータ）を使用する例について説明したが、機械的振動をある程度許容できる用途については、シャフトモータに変えてサーボモータとボールネジ等の機械的な駆動動力源を使用するものであってもよい。この場合であっても、可動子２４（ボールネジのブロック）、固定子２５（ボールネジのベース）、駆動軸部３０について、それぞれの中心軸ｌｆ、ｌｍが同一軸上（中心軸Ｌ０上）になるように配置されていることにより、駆動源の中心軸と駆動軸部３０の中心軸ｌｓとがオフセットされる構成の従来の操作感覚再現装置に比べて、オフセット構造によるモーメント等の影響を回避でき、摺動抵抗を極力減らした低抵抗で駆動させることができる操作感覚再現装置とすることができる。
【００３８】
また、上記実施形態では、外径側に固定子２５である電気的コイルが配置され、内径側に可動子２４である永久磁石を配置する例について説明したが、電気的コイルと永久磁石の配置を逆にして、内径側に電気的コイルを固定し、その外径側に永久磁石を配置して、上記同様、電気的コイルを固定子２５、外径側の永久磁石を可動子２４として、固定子２５と可動子２４とが相対的に中心軸方向に変位する構成であってもよい。
【００３９】
また、上記実施形態では、可動子２４が永久磁石であって、固定子２５が電気的コイルである例について説明したが、可動子２４が電気的コイルであって、固定子２５が永久磁石であるものであってもよい。すなわち、いずれを可動子２４、固定子２５に設定した場合でも、可動子２４、固定子２５、駆動軸部３０について、それぞれの中心軸ｌｆ、ｌｍ、ｌｓが同一軸上（中心軸Ｌ０上）になるように配置されていればよい。
【００４０】
また、上記実施形態では、可動子２４と固定子２５との間にエアベアリング２７を介装させることにより、固定子２５と可動子２４とが非接触で支持される例について説明したが、摺動抵抗を極限まで抑える必要がなく、ある程度許容される用途については、エアベアリング２７に変えて低摺動抵抗のカラー等で構成するものであってもよい。
【００４１】
また、上記実施形態では、アクチュエータユニット２０にアクチュエータ部２１が２つ設けられる例について説明したが、用途に応じて、アクチュエータ部２１が１つでもよく、逆に３つ以上設けられるものであってもよい。すなわち、アクチュエータ部２１の数にかかわらず、可動子２４、固定子２５、駆動軸部３０について、それぞれの中心軸ｌｆ、ｌｍ、ｌｓが同一軸上（中心軸Ｌ０上）になるように配置されていればよい。
【００４２】
また、上記実施形態では、触感的駆動力が中心軸Ｌ０の軸方向と中心軸Ｌ０回りの回転方向に発生する例について説明したが、用途に応じて、中心軸Ｌ０の軸方向のみ、又は、中心軸Ｌ０回りの回転方向のみに駆動する操作感覚再現装置としてもよい。
【符号の説明】
【００４３】
１０  装置本体
１１  操作部
２０  アクチュエータユニット
２１  アクチュエータ部
２１ａ  アクチュエータ部
２１ｂ  アクチュエータ部
２４  可動子
２５  固定子
３０  駆動軸部
Ｌ０  中心軸
【図１】
0006560929.tif 000002
【図２】
0006560929.tif 000003
【図３】
0006560929.tif 000004
【図４】
0006560929.tif 000005
【図５】
0006560929.tif 000006